【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
多孔質複合材料を含む医療装置であって、前記複合材料が、
金属、金属化合物、金属合金、金属酸化物、酸化ケイ素、ゼオライト、酸化チタン、酸化ジルコニウム、酸化アルミニウムもしくはケイ酸アルミニウム、金属炭化物、金属窒化物、金属酸窒化物、金属炭窒化物、金属酸炭化物、金属酸窒化物、金属酸炭窒化物、有機金属塩、無機金属塩、半導電性金属化合物、例えばＭｇＳ、ＭｇＳｅ、ＭｇＴｅ、ＣａＳ、ＣａＳｅ、ＣａＴｅ、ＳｒＳ、ＳｒＳｅ、ＳｒＴｅ、ＢａＳ、ＢａＳｅ、ＢａＴｅ、ＺｎＳ、ＺｎＳｅ、ＺｎＴｅ、ＣｄＳ、ＣｄＳｅ、ＣｄＴｅ、ＨｇＳ、ＨｇＳｅ、ＨｇＴｅ、ＧａＡｓ、ＧａＮ、ＧａＰ、ＧａＳｂ、ＩｎＧａＡｓ、ＩｎＰ、ＩｎＮ、ＩｎＳｂ、ＩｎＡｓ、ＡｌＡｓ、ＡｌＰ、ＡｌＳｂ、ＡｌＳ、ゲルマニウム、鉛またはケイ素；金属系コア−シェル型ナノ粒子、ガラス、ガラス繊維、炭素、炭素繊維、グラファイト、スート、火炎スート、炉内スート、ガス状スート、カーボンブラック、ランプブラック、フラーレン、例えばＣ３６、Ｃ６０、Ｃ７０、Ｃ７６、Ｃ８０、Ｃ８６、Ｃ１１２；ＭＷＮＴ、ＳＷＮＴ、ＤＷＮＴ、ランダム配向ナノチューブから選択されるナノチューブ；フラーレンオニオン、メタロ−フラーレン、金属含有内包フラーレン、すなわち金属内包フラーレン、滑石、無機質、有機金属化合物、または金属アルコキシドのうちの少なくとも１つを含む、少なくとも１つの網状化剤と、
少なくとも１つの合成有機ポリマーを含む、少なくとも１つのマトリックス材料と、
を含む、前記装置。
【請求項２】
前記複合材が、
ａ）ｉ）金属、金属化合物、金属合金、金属酸化物、酸化ケイ素、ゼオライト、酸化チタン、酸化ジルコニウム、酸化アルミニウムもしくはケイ酸アルミニウム、金属炭化物、金属窒化物、金属酸窒化物、金属炭窒化物、金属酸炭化物、金属酸窒化物、金属酸炭窒化物、有機金属塩、無機金属塩、半導電性金属化合物、例えばＭｇＳ、ＭｇＳｅ、ＭｇＴｅ、ＣａＳ、ＣａＳｅ、ＣａＴｅ、ＳｒＳ、ＳｒＳｅ、ＳｒＴｅ、ＢａＳ、ＢａＳｅ、ＢａＴｅ、ＺｎＳ、ＺｎＳｅ、ＺｎＴｅ、ＣｄＳ、ＣｄＳｅ、ＣｄＴｅ、ＨｇＳ、ＨｇＳｅ、ＨｇＴｅ、ＧａＡｓ、ＧａＮ、ＧａＰ、ＧａＳｂ、ＩｎＧａＡｓ、ＩｎＰ、ＩｎＮ、ＩｎＳｂ、ＩｎＡｓ、ＡｌＡｓ、ＡｌＰ、ＡｌＳｂ、ＡｌＳ、ゲルマニウム、鉛またはケイ素；金属系コア−シェル型ナノ粒子、ガラス、ガラス繊維、炭素、炭素繊維、グラファイト、スート、火炎スート、炉内スート、ガス状スート、カーボンブラック、ランプブラック、フラーレン、例えばＣ３６、Ｃ６０、Ｃ７０、Ｃ７６、Ｃ８０、Ｃ８６、Ｃ１１２；ＭＷＮＴ、ＳＷＮＴ、ＤＷＮＴ、ランダム配向ナノチューブから選択されるナノチューブ；フラーレンオニオン、メタロ−フラーレン、金属含有内包フラーレン、すなわち金属内包フラーレン、滑石、無機質、有機金属化合物、または金属アルコキシドのうちの少なくとも１つを含む、少なくとも１つの網状化剤と、
ｉｉ）少なくとも１つの有機ポリマーを含む少なくとも１つのマトリックス材料と
を含む、液体混合物を生じさせる工程；および
ｂ）前記混合物を凝固させる工程
を含むプロセスによって得られる、請求項１に記載の装置。
【請求項３】
実質的に全部、前記複合材料からなる、請求項１または２に記載の装置。
【請求項４】
前記複合材料で製造されたコーティングを含む、前記請求項のいずれか一項に記載の装置。
【請求項５】
前記網状化剤が、前記マトリックス材料に埋め込まれている、前記請求項のいずれか一項に記載の装置。
【請求項６】
前記多孔質複合材料が、網状構造を有する、前記請求項のいずれか一項に記載の装置。
【請求項７】
前記網状化剤が、粒子の形態である、前記請求項のいずれか一項に記載の装置。
【請求項８】
前記粒子が、ナノまたはミクロ結晶粒子を含む、請求項７に記載の装置。
【請求項９】
前記網状化剤が、同じまたは異なる材料の少なくとも２つの粒径画分を含み、当該画分が、サイズの点で少なくとも１．１倍異なる、前記請求項のいずれか一項に記載の装置。
【請求項１０】
前記網状化剤が、チューブ、繊維またはワイヤーのうちの少なくとも１つから選択される、請求項１から６のいずれか一項に記載の装置。
【請求項１１】
前記網状化剤が、鉄、コバルト、ニッケル、マンガン、鉄−白金混合物、鉄−白金合金、金属酸化物、例えば酸化鉄、酸化ガンマ鉄、磁鉄鉱、または鉄、コバルト、ニッケルもしくはマンガンのフェライトを含む、磁性、超常磁性または強磁性金属または合金粒子のうちの少なくとも１つを含む、請求項１０に記載の装置。
【請求項１２】
前記複合材料が、粒状有機材料、または有機材料で製造された繊維から選択される少なくとも１つの網状化剤をさらに含む、請求項１から１１のいずれか一項に記載の装置。
【請求項１３】
前記マトリックス材料が、例えば、ポリエチレンもしくはポリプロピレン、またはバイオポリマー；シェラック、綿、または布など、オリゴマー、ポリマー、コポリマーもしくはプレポリマー、熱硬化性樹脂、熱可塑性樹脂、合成ゴム、押出可能なポリマー、射出成形用ポリマー、成形可能なポリマー、合成ホモポリマー、または脂肪族もしくは芳香族ポリオレフィンコポリマーのうちの少なくとも１つを含む、前記請求項のいずれか一項に記載の装置。
【請求項１４】
前記マトリックス材料が、ポリ（メタ）アクリレート、不飽和ポリエステル、飽和ポリエステル、ポリオレフィン、ポリエチレン、ポリプロピレン、ポリブチレン、アルキド樹脂、エポキシポリマー、エポキシ樹脂、フェノキシ樹脂、ゴムラテックス、ポリアミド、ポリイミド、ポリエーテルイミド、ポリアミドイミド、ポリエステルイミド、ポリエステルアミドイミド、ポリウレタン、ポリカーボネート、ポリスチレン、ポリフェノール、ポリビニルエステル、ポリシリコーン、ポリアセタール、セルロース、セルロース誘導体、酢酸セルロース、デンプン、ポリビニルクロライド、ポリビニルアセテート、ポリビニルアルコール、ポリスルホン、ポリフェニルスルホン、ポリエーテルスルホン、ポリケトン、ポリエーテルケトン、ポリベンズイミダゾール、ポリベンゾオキサゾール、ポリベンズチアゾール、ポリフルオロカーボン、ポリテトラフルオロエチレン、ポリフェニレンエーテル、ポリアリーレート、またはシアナトエステル−ポリマーのうちの少なくとも１つを含む、前記請求項のいずれか一項に記載の装置。
【請求項１５】
人体または動物体への挿入に適するインプラントから選択される、前記請求項のいずれか一項に記載の装置。
【請求項１６】
血管内人工器官、ステント、冠動脈ステント、末梢血管ステント、薬物溶出ステント、外科用インプラント、整形外科用インプラント、薬物送達インプラント、整形外科用薬物溶出インプラント、整形外科用人工骨、人工関節、代用骨、脊柱の胸もしくは腰領域における代用椎骨；人工心臓、人工心臓弁、皮下インプラント、筋肉内インプラント、内植可能な薬物送達装置、カテーテル、カテーテル用のガイドワイヤーもしくはそれらの部品、外科用器具、外科用縫合針、ねじ、釘、クリップ、ステープル、生体材料を培養するための支持体、または組織構築用のスキャホールドのうちの少なくとも１つから選択される、治療または診断のための医療装置またはインプラントを含む、前記請求項のいずれか一項に記載の装置。
【請求項１７】
前記複合材料が、生物活性薬剤、治療活性薬剤または診断のための薬剤のうちの少なくとも１つから選択される少なくとも１つの活性薬剤をさらに含む、前記請求項のいずれか一項に記載の装置。
【請求項１８】
前記活性薬剤を制御可能に放出することができる、請求項１７に記載の装置。
【請求項１９】
前記診断のための薬剤が、マーカー、造影剤または放射線不透物質のうちの少なくとも１つを含む、請求項１７に記載の装置。
【請求項２０】
前記マーカーが、人体または動物体に対する生物学的効果または治療効果のうちの少なくとも一方をさらに有する、請求項１９に記載の装置。
【請求項２１】
アルジネート、カラゲナン、カルボキシメチルセルロース、ポリ（メタ）アクリレート、キトサン、ポリ−Ｌ−リシンまたはホスホリルコリンのうちの少なくとも１つから選択される少なくとも１つのアニオン性、カチオン性または両性コーティングをさらに含む、前記請求項のいずれか一項に記載の装置。
【請求項２２】
微生物、ウイルスベクター、細胞または生体組織のうちの少なくとも１つを含む、前記請求項のいずれか一項に記載の装置。
【請求項２３】
前記少なくとも１つの網状化剤が、網目様構造を形成することができる材料である、前記請求項のいずれか一項に記載の装置。
【請求項２４】
前記少なくとも１つの網状化剤が、三次元構造に自己配向することができる材料である、請求項１から２３のいずれか一項に記載の装置。
【請求項２５】
前記複合材料中の網状化剤とマトリックス材料の全容量間の容量比が、２０：８０から８０：２０の範囲内である、前記請求項のいずれか一項に記載の装置。
【請求項２６】
前記複合材料が、スート、フラーレン、炭素繊維、シリカ、二酸化チタン、金属粒子、タンタル粒子またはポリエチレン粒子のうちの少なくとも１つから選択される網状化剤を含み、前記マトリックス材料が、エポキシ樹脂またはフェノキシ樹脂のうちの少なくとも１つから選択される、前記請求項のいずれか一項に記載の装置。
【請求項２７】
前記複合材料が、熱処理によって溶媒を除去することによりマトリックス材料を分解することなく凝固させた、少なくとも１つの有機溶媒を含む液体混合物から得たものである、請求項２６に記載の装置。
【請求項２８】
約１ｎｍから約４００μｍの平均気孔径を有する、前記請求項のいずれか一項に記載の装置。
【請求項２９】
約３０％から約８０％の平均多孔度を有する、前記請求項のいずれか一項に記載の装置。
【請求項３０】
インビボまたはインビトロでの細胞および／または組織培養のための支持体としての、前記請求項のいずれか一項に記載の医療装置の使用。
【請求項３１】
組織構築用のスキャホールドとしての、請求項３０に記載の使用。
【請求項３２】
人体または動物体において直接的治療効果または間接的治療効果うちの少なくとも一方を生じさせるための、請求項１から２９のいずれか一項に記載の医療装置の使用。